(57)【要約】【課題】小型化を図っても感度が低下することを防止できるスピーカを提供する。【解決手段】スピーカ１はケース２とスピーカユニット３を備えている。ケース２には電極８が取り付けられている。スピーカユニット３は振動板と該振動板に取り付けられたボイスコイルと磁気回路部を備えている。磁気回路部はボイスコイルと協働して振動板を振動させる磁石１９を備えている。磁石１９は幅Ｈが一定の幅等部２３と幅ｈが幅等部２３よりも狭い幅狭部２４を備えている。電極８は平面視において幅狭部２４の近傍に配置されている。電極８は幅狭部２４の近傍における幅等部２３内となる位置Ｒに設けられている。【選択図】図３
2007251230.tif 000002
【特許請求の範囲】
【請求項１】
振動板と、
該振動板に取り付けられたボイスコイルと、
前記ボイスコイルと協働して、前記振動板を振動させる磁気回路部と、
前記磁気回路部を収容したケースと、を備えたスピーカにおいて、
前記磁気回路部は、環状に形成されて、周方向に幅が一定に形成された幅等部と、該幅等部の一部が切り欠かれた格好に形成されてこの幅等部よりも幅が狭く形成された幅狭部とが設けられた磁石を備えているとともに、
前記ケースの外表面に設けられかつ前記ボイスコイルと接続した電極が、前記磁気回路部の平面視において、前記幅狭部の近傍における前記幅等部内となる位置に設けられていることを特徴とするスピーカ。
【請求項２】
前記磁石は、平面形が多角形の環状に形成されていることを特徴とする請求項１記載のスピーカ。
【請求項３】
前記幅狭部は、前記幅等部の角を切り落とした格好に形成されていることを特徴とする請求項２記載のスピーカ。
【請求項４】
前記磁石は、平面形が長円形の環状に形成されていることを特徴とする請求項１記載のスピーカ。
【請求項５】
前記磁石は、平面形が円環状に形成されていることを特徴とする請求項１記載のスピーカ。
【発明の詳細な説明】
【技術分野】
【０００１】
本発明は、例えば、音声電流が供給されることで振動板を振動させて音を発生するスピーカに関する。
【背景技術】
【０００２】
例えば、携帯電話などの小型携帯端末には、非常に小型のスピーカ（例えば、特許文献１参照）が用いられる。前述した小型携帯端末に用いられるスピーカは、ケースと、ケース内に設けられた振動部と、前記ケース内に収容されるとともに前記振動部を振動させて音を生じさせる磁気回路部を備えている。
【０００３】
ケースは、扁平な箱状に形成されている。振動部は、振動板と、音声電流が印加されることで磁気回路部と協働して前記振動板を振動させるボイスコイルを備えている。磁気回路部は、磁石などを備えている。また、ケースの外表面には、前記ボイスコイルと接続した電極が取り付けられている。
【０００４】
前述した構成のスピーカは、電極を介してボイスコイルに音声電流が供給されることで、振動板が振動して、前述した音声電流に応じた音を発生する。
【特許文献１】特開２００４−２３２００号公報
【発明の開示】
【発明が解決しようとする課題】
【０００５】
前述した従来のスピーカは、非常に小型であること（厚みを抑制すること）が求められているために、その平面視において、電極と磁石とが重ならない位置に配置する必要があった。このため、前述したスピーカは、磁石を小型化してきた。磁石を小型化すると、該磁石の生じる磁界の磁束密度が低下して、微弱な音声電流によって振動板を振動させにくくなる傾向であった。即ち、従来のスピーカは、磁石を小型化することで感度が低下する傾向であった。
【０００６】
したがって、本発明の目的は、例えば、小型化を図っても感度が低下することを防止できるスピーカを提供することにある。
【課題を解決するための手段】
【０００７】
前記課題を解決し目的を達成するために、請求項１に記載の本発明のスピーカは、振動板と、該振動板に取り付けられたボイスコイルと、前記ボイスコイルと協働して、前記振動板を振動させる磁気回路部と、前記磁気回路部を収容したケースと、を備えたスピーカにおいて、前記磁気回路部は、環状に形成されて、周方向に幅が一定に形成された幅等部と、該幅等部の一部が切り欠かれた格好に形成されてこの幅等部よりも幅が狭く形成された幅狭部とが設けられた磁石を備えているとともに、前記ケースの外表面に設けられかつ前記ボイスコイルと接続した電極が、前記磁気回路部の平面視において、前記幅狭部の近傍における前記幅等部内となる位置に設けられていることを特徴としている。
【発明を実施するための最良の形態】
【０００８】
以下、本発明の一実施形態を説明する。本発明の一実施形態にかかるスピーカは、磁気回路部の磁石に幅等部よりも幅が狭い幅狭部を設けて、この幅狭部の近傍に電極を配置すことで、電極と磁石とを互いに重ならない位置に配置するとともに、磁石からの電極の突出量を抑制して平面形の小型化を図って、スピーカの小型化を図っている。
【０００９】
また、スピーカは、磁石に幅狭部よりも幅が広い幅等設を設けることで、磁石が発生する磁界の磁束密度の低下を防止している。こうすることで、より微弱な音声電流による振動板の振動を可能として、感度の低下を防止している。よって、本発明の一実施形態にかかるスピーカは、小型化を図っても感度が低下することを防止することを可能としている。
【００１０】
磁石の平面形が、多角形の環状に形成されても良く、長円形の環状に形成されても良く、円形の環状に形成されても良い。また、磁石の平面形が多角形の環状に形成されている場合には、角を切り落とした格好で、幅狭部を形成するのが望ましい。この場合、確実に磁石に幅等部と幅狭部とを形成することができ、小型化と感度の低下の防止との双方を可能とすることができる。
【実施例】
【００１１】
本発明の一実施例を、図１ないし図４に基づいて説明する。本発明の一実施例に係るスピーカ１は、携帯電話などの小型携帯端末を構成して、この小型携帯端末の使用者に音声情報を提供する。
【００１２】
スピーカ１は、図１及び図２に示すように、ケース２と、スピーカユニット３とを備えている。ケース２は、ロアケース４と、アッパケース５とを備えている。ロアケース４は、例えば、合成樹脂で構成されており、平板状に形成されている。ロアケース４の平面形状は、矩形状に形成されている。
【００１３】
アッパケース５は、例えば、合成樹脂で構成されており、筒部６と、該筒部６の一端部から該筒部６の内側に向かって延在した内側フランジ部７とを備えている。筒部６は、四角筒状に形成されている。内側フランジ部７が、筒部６の全周に亘って設けられている。
【００１４】
筒部６の他端部がロアケース４の外縁に重ねられた格好で、ロアケース４とアッパケース５とが互いに固定される。アッパケース５とロアケース４とが互いに固定されると、ケース２は、扁平な箱状となる。勿論、ケース２の平面形状は、矩形状となる。
【００１５】
また、図３に示すように、ロアケース４のケース２の外側に位置する外表面（即ち、ケース２の外表面）には、一対の電極８が取り付けられている。電極８は、銅又は銅合金などの導電性の金属で構成されており、図２に示すように、ロアケース４の前述した外表面に露出する露出部９と、該露出部９から立設した貫通部１０とを備えている。露出部９は、平板状に形成されて、ロアケース４の外表面と面一となるように、該ロアケース４に取り付けられている。貫通部１０は、柱状に形成されており、ロアケース４を貫通して、その先端がケース２の内側に位置している。
【００１６】
スピーカユニット３は、振動部１１と、この振動部１１を振動させて該振動部１１に音を生じさせる磁気回路部１２とを備えている。
【００１７】
振動部１１は、ロアケース４とアッパケース５との間の空間即ちケース２内に収容されている。振動部１１は、ボイスコイル１３と、ボイスコイルボビン１４と、振動板１５と、ダンパ１６と、エッジ１７などを備えている。ボイスコイル１３は、磁気回路部１２の後述する磁気ギャップＧ内に配されている。ボイスコイル１３には、音声電流が供給される。また、ボイスコイル１３は、その両端が図示しない錦糸線を介して前述した電極８と接続している。ボイスコイル１３には、電極８及び錦糸線などを介して、音声電流発生源から音声電流が供給される。
【００１８】
ボイスコイルボビン１４は、外周面の平面形状が矩形状の筒状に形成されている。ボイスコイルボビン１４は、ヨーク１８とヨークプレート２０とボイスコイル１３などと同軸に配されている。ボイスコイルボビン１４は、軸芯方向の一端部が磁気ギャップＧ内に挿入されており、該一端部の外周にボイスコイル１３を取り付けている。ボイスコイルボビン１４は、ヨーク１８に、該ヨーク１８の軸芯Ｐ（図２中に一点鎖線で示す）に沿って移動自在に支持されている。
【００１９】
振動板１５は、断面円弧状でかつ平面形状が矩形状に形成された薄板状のセンタキャップ２６と、側方からみて切頭四角錐状（四角錐台状）でかつ平面形状が矩形状の環状に形成された薄板状のコーン２７とを備えている。コーン２７は、センタキャップ２６則ちヨーク１８などと同軸に配され、かつ内縁部が前記ボイスコイルボビン１４の他端部に取り付けられている。センタキャップ２６は、ボイスコイルボビン１４を塞いだ格好で、外縁部がコーン２７に取り付けられている。振動板１５の内縁部がボイスコイルボビン１４の他端部に取り付けられていることで、ボイスコイル１３は、ボイスコイルボビン１４を介して振動板１５に取り付けられている。
【００２０】
ダンパ１６は、平面形状が矩形状の環状に形成され、かつ薄板状に形成されている。ダンパ１６は、内縁部がボイスコイルボビン１４に取り付けられ、かつ外縁部が後述する固定部材２５の内周面に取り付けられている。ダンパ１６は、ボイスコイルボビン１４即ち振動板１５が前述した軸芯Ｐに沿って振動することを許容するとともに、該ボイスコイルボビン１４即ち振動板１５の振動を徐々に減衰させる。
【００２１】
エッジ１７は、平面形状が矩形状の環状に形成され、かつ薄板状に形成されている。エッジ１７は、内縁部がコーン２７の外縁部に取り付けられ、かつ外縁部が固定部材２５とアッパケース５の内側フランジ部７とに挟まれた格好でこれらに取り付けられている。エッジ１７は、ボイスコイルボビン１４即ち振動板１５が前述した軸芯Ｐに沿って振動することを許容するとともに、該ボイスコイルボビン１４即ち振動板１５の振動を徐々に減衰させる。
【００２２】
磁気回路部１２は、磁性体（所謂、常磁性体又は強磁性体）からなるヨーク１８と、磁石１９と、磁性体（所謂、常磁性体又は強磁性体）からなるヨークプレート２０と、固定部材２５とを備えている。ヨーク１８は、平板状のボトムプレート２１と、該ボトムプレート２１の中央部から立設した柱状の柱部２２とを一体に備えている。
【００２３】
ボトムプレート２１は、平面形状がロアケース４と略等しい矩形状に形成されている。ボトムプレート２１は、ロアケース４よりも若干小さく形成されている。ボトムプレート２１は、ロアケース４上に重ねられている。柱部２２の平面形状は、ボトムプレート２１の平面形状と略等しく形成されている。柱部２２は、ボトムプレート２１からアッパケース５に向かって突出している。
【００２４】
磁石１９は、図４に示すように、角が円弧状に形成されて、外縁の平面形状が略矩形状の環（リング）状に形成されている。即ち、磁石１９は、平面視が四角形（多角形）の環状に形成されている。磁石１９は、その厚みが、一定に形成されている。磁石１９は、図４に示すように、幅Ｈが周方向に一定に形成された幅等部２３と、該幅等部２３よりも幅ｈが狭い幅狭部２４とが一体に形成されている。なお、幅Ｈ，ｈとは、軸芯Ｐに直交する方向の磁石１９の幅である。幅ｈは、幅狭部２４の最小の幅を示している。
【００２５】
幅狭部２４は、幅等部２３即ち磁石１９の二つの角Ｑ（図４中に二点鎖線で示す）が切り欠かれた格好に形成されている。即ち、幅狭部２４は、磁石１９の角Ｑに設けられており、図示例では、二つ設けられている。
【００２６】
また、幅狭部２４は、前述した電極８の近傍に配置されている。前述した電極８は、図３に示すように、磁気回路部１２即ちスピーカ１の平面視において、幅狭部２４の近傍における図３などに示す二点鎖線Ｑよりも内側の図３などに示す平行斜線Ｒで示す幅等部２３内となる位置に、一部が位置付けられている。こうして、電極８は、磁気回路部１２の平面視において、平行斜線Ｒで示す幅等部２３内となる位置に設けられている。
【００２７】
前述した磁石１９は、内側にヨーク１８の柱部２２を通した状態で、該ヨーク１８のボトムプレート２１に重ねられている。前述した磁石１９は、永久磁石又は直流電源により励磁されるものでも良い。
【００２８】
ヨークプレート２０は、前述した磁石１９と平面形状が略等しい矩形の環状に形成されており、内側にヨーク１８の柱部２２とボイスコイルボビン１４とを通した状態で、磁石１９上に重ねられている。磁石１９とヨークプレート２０の内周面は、ヨーク１８の柱部２２の外周面と間隔をあけている。固定部材２５は、平面形状が磁石１９やヨークプレート２０などと略等しい矩形の環状に形成されており、ヨークプレート２０の外縁部に重ねられている。
【００２９】
前述した構成により、磁気回路部１２は、所謂外磁型に構成されている。磁気回路部１２は、ヨーク１８の柱部２２の外周面と、ヨークプレート２０の内周面との間に、前述したボイスコイル１３と協働して振動板１５を駆動（振動）するための磁力を発生する磁気ギャップＧを形成している。即ち、磁気回路部１２は、ボイスコイル１３と協働して、振動板１５を振動させる。
【００３０】
前述した構成のスピーカユニット３は、ボイスコイル１３に音声電流が供給され、この音声電流に応じて磁気ギャップＧ内に保持されたボイスコイル１３が前述した軸芯Ｐに沿って振動する。そして、ボイスコイル１３を支持したボイスコイルボビン１４が、振動板１５などと共に軸芯Ｐに沿って振動して、振動板１５などが、音声電流に応じた音を生じる。このように、磁気回路部１２は、振動板１５則ち振動部１１を振動させて、音を生じさせる。
【００３１】
本実施例によれば、磁気回路部１２の磁石１９に幅等部２３よりも幅ｈが狭い幅狭部２４を設けて、この幅狭部２４の近傍に電極８を配置することで、電極８と磁石１９とを互いに重ならない位置に配置している。また、磁気回路部１２の磁石１９に幅等部２３よりも幅ｈが狭い幅狭部２４を設けて、磁石１９からの電極８の突出量を抑制して平面形の小型化を図って、スピーカ１の小型化を図っている。
【００３２】
また、スピーカ１は、磁石１９に幅狭部２４よりも幅Ｈが広い幅等部２３を設けることで、磁石１９が発生する磁界の磁束密度の低下を防止している。このため、より微弱な音声電流による振動板１５の振動が可能となり、感度の低下を防止している。したがって、前述した実施例のスピーカ１は、小型化を図っても感度が低下することを防止することができる。
【００３３】
磁石１９の平面形が、矩形の環状に形成されて、角Ｑを切り落とした格好で幅狭部２４を形成している。このため、確実に磁石１９に幅等部２３と幅狭部２４とを形成することができ、スピーカ１の小型化と感度の低下の防止との双方を可能とすることができる。
【００３４】
また、前述した実施例では、磁石１９を矩形の環状に形成したが、本発明では、磁石１９を矩形に限らず種々の多角形の環状に形成しても良い。さらに、本発明では、図５に示すように、磁石１９を、外縁の平面形状が小判形の環状に形成しても良く、磁石１９を、外縁の平面形状が楕円形の環状に形成しても良い。要するに、本発明では、磁石１９を、平面形が長円形の環状に形成しても良い。
【００３５】
さらに、本発明では、図６に示すように、磁石１９を、外縁の平面形状が円形の環状に形成しても良い。要するに、本発明では、磁石１９の平面形を円環状に形成しても良い。なお、図５及び図６において、前述した実施例と同一部分には、同一符号を付して説明を省略する。
【００３６】
前述した実施例によれば、以下のスピーカ１が得られる。
【００３７】
（付記）  振動板１５と、
該振動板１５に取り付けられたボイスコイル１３と、
前記ボイスコイル１３と協働して、前記振動板１５を振動させる磁気回路部１２と、
前記磁気回路部１２を収容したケース２と、を備えたスピーカ１において、
前記磁気回路部１２は、環状に形成されて、周方向に幅Ｈが一定に形成された幅等部２３と、該幅等部２３の一部が切り欠かれた格好に形成されてこの幅等部２３よりも幅ｈが狭く形成された幅狭部２４とが設けられた磁石１９を備えているとともに、
前記ケース２の外表面に設けられかつ前記ボイスコイル１３と接続した電極８が、前記磁気回路部１２の平面視において、前記幅狭部２４の近傍における前記幅等部２３内となる位置Ｒに設けられていることを特徴とするスピーカ１。
【００３８】
付記によれば、磁気回路部１２の磁石１９に幅等部２３よりも幅ｈが狭い幅狭部２４を設けて、この幅狭部２４の近傍に電極８を配置することで、電極８と磁石１９とを互いに重ならない位置に配置している。また、磁気回路部１２の磁石１９に幅等部２３よりも幅ｈが狭い幅狭部２４を設けて、磁石１９からの電極８の突出量を抑制して平面形の小型化を図って、スピーカ１の小型化を図っている。
【００３９】
また、スピーカ１は、磁石１９に幅狭部２４よりも幅Ｈが広い幅等部２３を設けることで、磁石１９が発生する磁界の磁束密度の低下を防止している。このため、より微弱な音声電流による振動板１５の振動が可能となり、感度の低下を防止している。したがって、スピーカ１は、小型化を図っても感度が低下することを防止することができる。
【００４０】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００４１】
【図１】本発明の一実施例にかかるスピーカの平面図である。
【図２】図１中のＩＩ−ＩＩ線に沿う断面図である。
【図３】図１に示されたスピーカの底面図である。
【図４】図１に示されたスピーカの磁石の平面図である。
【図５】図４に示されたスピーカの磁石の変形例を示す平面図である。
【図６】図４に示されたスピーカの磁石の他の変形例を示す平面図である。
【符号の説明】
【００４２】
１  スピーカ
２  ケース
８  電極
１２  磁気回路部
１３  ボイスコイル
１５  振動板
１９  磁石
２３  幅等部
２４  幅狭部
Ｒ  幅等部内となる位置
Ｈ  幅等部の幅
ｈ  幅狭部の幅
【図１】
2007251230.tif 000003
【図２】
2007251230.tif 000004
【図３】
2007251230.tif 000005
【図４】
2007251230.tif 000006
【図５】
2007251230.tif 000007
【図６】
2007251230.tif 000008